(57)【要約】      （修正有）【課題】所望形状の装飾部材を嵌め込んだ透過性の高いアクリル樹脂製の内材を、表裏から透明外材で挟着して、あたかも装飾部材が中空に浮いていると視認させる表示具を提供する。【解決手段】レーザー加工機等を用いて文字等の形状を切削して嵌合孔８を形成した透明な内材２の当該嵌合孔８に対して、レーザー加工機等を用いて前記内材２の嵌合孔８と同形状に成形した装飾部材９を嵌合固定しこの内材２を表裏から透明の外材１と外材３で挟み留めた表示具である。内材２と外材１と外材３は化粧ビスで留め、さらに掛け板４の背面に壁面のピン等に係止できる取付具を設けた。【選択図】図５
0003139573.tif 000002
【実用新案登録請求の範囲】
【請求項１】
レーザー加工機等を用いて文字や図柄、模様などの形状を切削して所望形状の嵌合孔を形成した透明或いは半透明のアクリル樹脂製の内材の当該嵌合孔に対して、レーザー加工機等を用いて前記内材の嵌合孔と略同厚で同形状に成形した装飾部材を嵌合固定し或いは略同厚で径小の相似形状又は異形状に成形した装飾部材を可動に遊嵌し、この内材を表裏から透明又は半透明のアクリル樹脂製である外材で挟み留めたことを特徴とする表示具。
【請求項２】
前記装飾部材は、ステンレス金属厚板等の金属板或いは木材等の外材と異質な素材又は色違い同質の合成樹脂板である請求項1記載の表示具。
【請求項３】
内材と内材を表裏から挟む外材を、水密に接合するとともに化粧ビスによって留めた請求項１から請求項２のいずれかに記載の表示具。
【請求項４】
前記表示具の裏面には壁面等の固定ピンと係合する取付具を設けてあり、前記取付具は、ピンの差込部と係止部を備えてこれを繋ぐ経路溝に少なくとも縦溝が２以上あって、ピンから取付具を取外すときに少なくとも1回以上引き下げる動作と横方向への移動動作がある経路溝を形成したことを特徴とする請求項１から請求項３のいずれかに記載の表示具。
【請求項５】
文字や図柄などの形状をレーザー加工機等を用いて切削して所望形状の嵌合孔を形成してある透明アクリル樹脂製の内材の当該嵌合孔に対して、レーザー加工機等を用いて前記内材の嵌合孔と略同厚で同形状に成形したステンレス金属製の装飾部材を嵌合固定し或いは径小の相似形状又は異形状に成形したステンレス金属製の装飾部材を可動に遊嵌し、この内材を表裏から透明又は半透明のアクリル樹脂製である外材で挟み接合したもので、化粧ビスで掛け板に留め、前記掛け板の裏面には壁面等の固定ピンと係合する取付具を設けてあり、前記取付具は、ピンの差込部と係止部を備えてこれを繋ぐ経路溝に少なくとも縦溝が２以上あって、前記固定ピンから取付具を取外すときに少なくとも1回以上引き下げる動作と横方向への移動動作がある経路溝を形成したことを特徴とする表示具。
【考案の詳細な説明】
【技術分野】
【０００１】
本考案は、アクリル樹脂製の表札、各種プレート、看板、モニュメント等の表示具に関する。
【背景技術】
【０００２】
本考案は、様々な装飾部材を内部に入れたアクリル樹脂で形成された表示具に関するものである。
存在感、高級感のある表札などに具体化できる。
【０００３】
本考案に関連するものとして次の文献の技術が見受けられる。
【特許文献１】特開平２００４−３０６４８３「装飾性のすぐれた形成品及びその製作方法」
【特許文献２】特開平２００５−２７５０１７「表札」
【特許文献３】特開平２００４−１２６３０９「表札及びその製造方法」
【特許文献４】特開平２００１−１００６８０「表札の構造」
【特許文献５】実用新案登録第３０３１９７８号「天然石を利用した表札」
【特許文献６】実開平７−２３３６９「表札」
【０００４】
上記文献は、主に表札の製造技術、アクリル樹脂製品の製造方法、嵌め込みについてのものである。
まず、従来製品の素材について考察すると、従来、アクリル樹脂の他にもガラス、プラスチックの中に印刷物、装飾物を内包させた形成物は多数製造・販売されてきた。
しかし、ガラスは強度の問題に加え、重量も他と比べて重くなってしまうこと、またプラスチックでは強度、軽量性は問題ないものの、透明性ではガラスやアクリル樹脂には及ばないという実情があった。
【０００５】
一方、アクリル樹脂は、アクリル酸エステルあるいは メタクリル酸エステルの重合体で、透明性の高い非晶質の合成樹脂である。メタクリル酸エステル重合体は透明度の最も高いものの一つで、鑑賞用形成物にはよく使用されるものである。また、屈折率も高く、熱可塑形成で複雑な形状を射出形成が可能なため光学材料として凡用されている。
【０００６】
一方、形成過程の面から見ると、従来のアクリル樹脂製を使用した表示具では、表面に印刷したり、印刷したものを貼り付ける方法の他、アクリル樹脂製の表面に文字や図柄などを形成する方法として、糸のこぎり等を用いて文字や図柄の輪郭を大まかな線として削ったり、切り出したりする方法があった。しかし、この方法では、急な角度や奇麗な円形の加工は難しく、細かい加工は困難であり、切断面や切削面も粗くなってしまうという欠点が存在した。
【０００７】
すると文字や図柄の形状が変形してしまうという問題があった。そのため、アクリル樹脂製に文字や図柄などの所望の形状を切削して所望形状の嵌合孔を形成し、その嵌合孔に別のアクリル樹脂製で製した文字や図柄などを嵌合させて美的効果を高めるようなことは、両者をぴったり嵌め合わすことができないため、実現は厳しいとされていた。
また、アクリル樹脂製の表面に文字や図柄などを形成する別の方法としては、金型を用いる方法が考えられるが、金型の製作はコストが嵩む上に、細かく入り組んだ形状のものは成型が困難であるため、金型工法は不適とされていた。
【考案の開示】
【考案が解決しようとする課題】
【０００８】
本考案は、所望形状の視認性のある装飾部材を嵌め込んだ透過性の高いアクリル樹脂を、さらに表裏からアクリル樹脂で包むことによって、あたかも装飾部材が中空に浮いていること感じさせる美的な表示具を作成することを目的とする。
装飾部材の存在感、高級感がある表示具を提案する。
【課題を解決するための手段】
【０００９】
本件考案者は、具体的課題として、
（Ａ）表示具として求められる美術性を持つ素材でできていること。
（Ｂ）表示具として求められる耐衝撃性、構造を持つこと。
（Ｃ）汚れの目立ちやすいアクリル樹脂製部品の清掃、手入れが容易なこと。
言い換えれば、清掃のために表札などにした場合の装着の簡便性と盗難防止の両立。
を掲げ、課題の解決に臨んだ。
【００１０】
上記課題を解決するための本考案に係るアクリル樹脂製の表示具は以下の概要である。
【００１１】
（ａ）本考案においての素材は、内材（２）とこれを挟む外材（１）と外材（３）においては、アクリル樹脂製板を使用した。
アクリル樹脂を使用することで、高い透明性が得られると共に、湾曲させるなどの熱可塑性を利用した加工・半透明着色等が容易なことから、より美的な表示具を作成することが可能である。
【００１２】
また内材（２）の嵌合孔（８）、装飾部材（９）の加工についてはレーザー光線切断のレーザー加工を施すことで、従来では加工できなかった細部の加工や切断面や切削面の滑らかさを表現することが可能となり、形成物の美術性を向上させることが可能である。
また、加工後に研磨の作業が必要ないため、設計に近い形での仕上がりが期待できるため、同形状では嵌合孔（８）と装飾部材（９）は極めて高い精度で嵌合することが可能であり、また相似形状で余空間を残して遊嵌することも可能である。
【００１３】
（ｂ）本考案においては、上記のアクリル樹脂を素材として使用することで耐衝撃性が高く、また比較的頑丈で軽量な表示具を作成することが可能である。
【００１４】
また、内材（２）と外材（１）,外材（３）は、化粧ビス（６）による一体化留めを採用した。
一体化は、透明接着剤によって各部材を接着する方法やこれを併用することができる。接着剤による気泡が残らないように処理するが、室内専用の表示具の場合は、接着剤を使用しないものもある。
本考案においては、透過性の高い透明アクリル樹脂を使用することで、内部の装飾部材があたかも中空に浮遊存在している様子を表現することが目的のひとつであるため、可及的に透過性を損なう構成や手段は避けられる。
化粧ビス（６）も透明樹脂製のものなども選択できる。
【００１５】
また、本考案のような表示具は、時として盗難の被害にあうこともある。
一方、いつも綺麗にするためには、取り外して洗浄等ができるものであることが好ましい。
そのため、取り付け・取り外しの機構を従来の様に持ち上げて取り外すのではなく、持ち下げて右に移動し、上に持ち上げることで取り外すというコツの要る壁掛け用の取付具（５）を案出することで脱着を少し複雑化し、表札・看板に求められる安全性を向上させた。
【００１６】
（ｃ）本考案においては、上記において採用した化粧ビス（６）による４点留め等の構成では、容易に分解することが可能である。
よって、透明度の高いアクリル樹脂の外材（１）等は、屋外における使用では汚れが付着するが、必要に応じて分解し容易に清掃、手入れを行うことが可能である。
さらには表示具の裏面に特徴ある取付具（５）を設けたものでは、一旦掛けた表示具でも取り外しができるものとし、しかしなお盗難されにくいかたちで取り付けることができる。
【００１７】
この（ａ）（ｂ）（ｃ）の基本構成は、夫々前述の課題（Ａ）（Ｂ）（Ｃ）に相応するものである。
【考案の効果】
【００１８】
本考案のアクリル樹脂製の表示具は、上記課題を解決することにより、次のような技術的効果がある。
【００１９】
本考案においては、内材と内材を挟む外材においては、アクリル樹脂製のものを使用することで、高い透明性が得られると共に、熱可塑形成・着色が容易なことから、曲面の形成や、色彩の選択、動きのある装飾部材の装填など多彩な表示形態を作成することができ、より美的な表示具を作成することができる。
【００２０】
内材の嵌合孔、装飾部材の加工についてはレーザー加工を施すことで、従来では加工できなかった細部の加工や切断面や切削面の滑らかさを表現することが可能となり、緻密性や美術性を向上させることが可能である。
また、加工後に研磨の作業が必要ないため、設計に近い形での仕上がりが期待できるため、嵌合孔と装飾部材は極めて高い精度で嵌合することが可能となった。美的観点からも高度な完成度を実現することが可能となった。
【００２１】
本考案においては、前記解決手段によって、表示具自体の、表現の多彩性、耐衝撃性、軽量化の向上を実現することが可能となった。
【００２２】
本考案においては、前記取付具の開発によって、壁面等からの取り外しもでき、汚れやすいアクリル樹脂製の材料の清掃、手入れも容易に行うことが可能であり、人に見られることを前提とした表示具が求められる日常のメンテナンスを容易に行うことが可能となり、かつ盗難防止性もある。
【考案を実施するための最良の形態】
【００２３】
次に本考案に係る表示具の実施例並びに実施形態について説明する。
図１から図６に示すものは、同じ実施形態の実施例で、各部の構造を示すものである。
【実施例１】
【００２４】
図１〜図６は本考案に係る表示具の実施例１を示すもので、図１は視認した状態を示す斜視図、図２は構成部品を注視すると視認できる構成部品の接合線が見えた状態の斜視図、図３は側面図、図４は裏面図、図５は分解斜視図、図６は壁面に固定されたピンと表示具の取付部を示す斜視図である。
【００２５】
図１は、表示具の斜視図で、アクリル樹脂の透明板体の内部に文字が内包されている状態を示しており、一見すると文字だけが中空に浮遊していることを錯覚させる表示具である。
実施例１は、レーザー加工機等を用いて文字「田中」の形状を切削して嵌合孔（８）を形成した透明アクリル樹脂製の内材（２）の当該嵌合孔（８）に対して、レーザー加工機等を用いて前記内材（２）の嵌合孔（８）と略同厚で同形状に成形した装飾部材（９）であるステンレス金属厚板である「田中」の文字を嵌合固定しこの内材（２）を表裏から透明のアクリル樹脂製である外材（１）と外材（３）で挟み、これらを掛け板（４）に留めた表示具である表札を示すものである。
【００２６】
前記装飾部材（９）はステンレス金属厚板をレーザー加工したもので、切り口側面は縦方向にレーザーが通過するので平滑な面が形成されていて、その側面が表面外材（１）から視認でき、立体感が強調され、空中に文字が浮いているように見える。
嵌合孔（８）の形状と装飾部材（９）であるステンレス金属厚板の切り抜き形状は、レーザー加工のため、極めて高精度に作成できる。両者の嵌め込みも緻密にでき一体感がある。
このように装飾部材（９）を嵌め込んだ内材（２）を表裏から外材（１）（３）で挟み三重構造とするので、強度のある製品となる。
三重構造を水密にするには透明接着剤を併用しても良い。
このような構成であるので、この実施例表札をみると、文字の浮遊感とともに屋外掲示では日照でその文字の影が移動してゆくおもしろみがあり、アクリル板の中に異なる素材の装飾部材（９）が入っているので、不思議感もある。
装飾部材（９）は、金属板や木材板、異色の合成樹脂板などを問わない。
ステンレス金属厚板等の金属板或いは木材等の外材と異質な素材又は色違い同質の合成樹脂板などを、用途に応じて工夫選択できる。
【００２７】
内材（２）と内材（２）を表裏から挟む外材（１）と外材（３）とは、透明接着剤で水密に接合するとともに化粧ビス（６）によって一体的に留めている。
この接合は、屋内外仕様や水族館での水中仕様で異なる手段が採用できる。
【００２８】
図２は図１の斜視図を構造的観点から表した斜視図である。本考案においては一枚のアクリル樹脂製板の内部に文字や図柄を内包させる方法ではなく、内材（２）に文字や図柄を嵌合させたものを別のアクリル樹脂製の外材（１）と外材（３）によって覆うという構成がとられている。
これらを取付具（５）を裏面に装備した掛け板（４）に取り付ける形で表示具が形成されている。
掛け板（４）は、実施例１では不透明で色彩のある合成樹脂板である。
掛け板（４）は装飾性のある素材、スケルトン素材、金属板など適宜選択できる。
【００２９】
図３は図１に示す実施例１にかかる表示具の側面図である。
アクリル樹脂板は外材（１）と内材（２）と外材（３）からなり、裏には壁掛け用の取付具（５）が装備されている。
【００３０】
図４は同じく実施例１の表示具の裏側を表す斜視図である。掛け板（４）には取付具（５）が上部に２個、下部に１個装備されている。
取付具（５）の数と位置は、壁面等の固定ピンと相互に合わせて設けられる。
【００３１】
図５は、図１・図２の実施例１を部品ごとに分解した状態を表す斜視図である。内材（２）の嵌合孔（８）に立体文字「田」「中」からなる装飾部材（９）を嵌め込み、表裏から外材（１）と外材（３）を重ねて化粧ビス（６）で４点を掛け板（４）のビス留め凹部（７）で留めることで完成する。
【００３２】
装飾部材（９）は文字に限らず、記号  図形  模様  などを選択でき、ペット洋品では、ポインターやゴールデンレトリバー等の犬の図柄を表した表示具など、その他様々な図柄を使用することで、表示具を多様化することが可能である。
【００３３】
装飾部材（９）は、内材（２）の嵌合孔（８）と、同厚でその嵌合孔（８）と同形状であるものや、敢えて装飾部材（９）を相似形状に縮小して作成し嵌合孔（８）と装飾部材（９）との間に隙間が生じるギャプや影を表現したものや、さらに、装飾部材（９）を小さくして遊嵌して嵌合孔（８）内の空間で揺動したり、振動等で音が鳴る構造を持つ表示具を作成することが可能である。
【００３４】
図６は、本考案の表示具に備えられた取付具（５）を壁に取り付ける際の様子を表した斜視図である。
従来の取付具（５）は、例えば壁面のピン（１０）に引っ掛けるだけの構造であり、取り外しがあまりに容易であるか、又は取り外せなく固定したものである。
【００３５】
本考案に係る表示具に備えられる取付具（５）は、表示具の裏面に設けられ、壁面等に固定されたピン（１０）と係合する取付具（５）である。
取付具（５）は、ピン（１０）の差込部（１１）と係止部（１２）を備えてこれを繋ぐ経路溝に少なくとも縦溝が２以上あって、ピン（１０）から取付具（５）を取外すときに少なくとも1回以上引き下げる動作と横方向への移動動作がある経路溝を形成している。
【００３６】
本考案に係る表示具に備えられる取付具（５）は、壁面等に固定されたピン（１０）を取付具５の差込部（１１）に挿入した後、下から左へ、また左から上へスライドさせて終着点である係止部（１２）まで移動させることで取り付けが完了する構成である。
透明な部材でできた表示具であり、塵や雨風で汚れたときは、壁面から外して清掃洗浄したい場合があるが、その場合は装着時と逆の経路で表示具を、一旦上方に引き上げ、横に移動し、下方に下げて、差込部（１１）にまでピン（１０）を移動して前方に引き抜いて、取り外す。
このように、本考案の表示具は、取り外すのに経路溝を認識することが必要であり、盗難の防止ができるものである。
【実施例２】
【００３７】
図７は、本考案における表示具において、内部の装飾部材（９）を犬の図柄とした実施例２の斜視図である。
【００３８】
図８は、図７における表示具を部品ごとに表した分解斜視図である。
犬の図柄の装飾部材（９）を内材（２）の嵌合孔（８）に嵌め、そこから実施例１と同様に外材（１）と外材（３）を重ね、化粧ビス（６）で取付板（４）に留めている。
【実施例３】
【００３９】
図９は、アクリル樹脂製の楕円状の板を使用した犬図形の装飾部材（９）を装填した実施例である。
犬図形の装飾部材（９）には、犬のペットネームなどが図形の中に切り抜かれている。図形の立体感や文字の立体感が強調できる。
ペット用のゲージ表札や車載用プレートとして使用される。
図中１３は組立斜視図を、図中１４は正面図を示すもので、これらの分解状態を図面右に分解斜視図として示している。
【００４０】
レーザー加工機等を用いて犬の形状を切削して嵌合孔（８）を形成した透明アクリル樹脂製の内材（２）の当該嵌合孔（８）に対して、レーザー加工機等を用いて前記内材（２）の嵌合孔（８）と略同厚で同形状に成形した装飾部材（９）である犬形を嵌合固定しこの内材（２）を表裏から透明のアクリル樹脂製である外材（１）と外材（３）で挟み留めた表示具である。
犬の図柄の装飾部材（９）を嵌合孔（８）に嵌めた内材（２）を外材（１）と外材（３）で挟み、化粧ビス凹部（７）と化粧ビス（６）で留めている。
【産業上の利用可能性】
【００４１】
本考案は、アクリル樹脂を用いた表示具であり、主に表札、看板等を目的としているが、式場の席札などの各種デザインプレートやオフィスの窓の装飾、各種広告、標識等他にも様々な用途が期待できる。
さらに、透明又は半透明な素材で作成して光透過性があるのでＬＥＤ照明を備えて、電飾プレートなどにも利用できる。
【図面の簡単な説明】
【００４２】
【図１】本考案に係る表示具の実施例１を示す斜視図。
【図２】本考案に係る表示具の実施例１を構造的観点から表した斜視図。
【図３】本考案に係る表示具の実施例１の右側面図
【図４】本考案に係る表示具の実施例１裏側を表す斜視図。
【図５】本考案に係る表示具の実施例１を部品ごとに分解した状態を示す分解斜視図。
【図６】本考案に係る取付具の実施例１を壁掛けする様子を説明する斜視図。
【図７】本考案に係る表示具の実施例２であって、内部装飾部材を犬の図柄とした実施例の斜視図。
【図８】同じく実施例２の分解斜視図。
【図９】本考案に係る表示具の実施例３を示すもので、楕円状のアクリル樹脂製板と犬の図柄装飾部材を使用した実施例を示す正面図と斜視図と分解斜視図からなる説明図。
【符号の説明】
【００４３】
１    外材
２    内材
３    外材
４    掛け板
５    取付具
６    化粧ビス
７    ビス留め凹部
８    嵌合孔
９    装飾部材
１０  ピン
１１  取付具の差込穴
１２  取付具の係止部
【図１】
0003139573.tif 000003
【図２】
0003139573.tif 000004
【図３】
0003139573.tif 000005
【図４】
0003139573.tif 000006
【図５】
0003139573.tif 000007
【図６】
0003139573.tif 000008
【図７】
0003139573.tif 000009
【図８】
0003139573.tif 000010
【図９】
0003139573.tif 000011